(57)【特許請求の範囲】
【請求項１】
第１のスケジューリング方式と第２のスケジューリング方式とを利用して移動局と基地局とが通信する通信システムであって、
前記第１のスケジューリング方式は、前記移動局に対するＰＤＳＣＨ（Physical Downlink Shared Channel）の割り当てを前記基地局がサブフレーム毎に行なうものであり、
前記第２のスケジューリング方式では、
前記移動局に対する前記ＰＤＳＣＨの割り当てが一定周期で連続する複数のサブフレームで同一となり、かつ前記割り当てられたＰＤＳＣＨが第１の周波数帯域に含まれるように、前記基地局は、前記割り当てを前記複数のサブフレームに対して一括して行ない、
前記移動局は、ＰＤＣＣＨ（Physical Downlink Control Channel）をモニタするために、前記第１の周波数帯域のデータと、前記第１の周波数帯域とは異なる第２の周波数帯域のデータとを復調し、
前記基地局は、前記第１のスケジューリング方式で前記移動局と通信を行なっている際に、前記移動局に対して前記第２のスケジューリング方式を有効とするための第１のコマンドを送信し、
前記移動局は、
前記第１のコマンドを受信することによって前記第２のスケジューリング方式で前記基地局と通信を開始すると、前記通信の開始から予め定められた時間が経過するまでの間、前記第２の周波数帯域のデータの復調を停止することにより、前記第１の周波数帯域のデータおよび前記第２の周波数帯域のデータのうちの前記第１の周波数帯域のデータのみを復調し、
前記予め定められた時間が経過すると、前記第２の周波数帯域のデータの復調を再開することにより、前記第１の周波数帯域のデータと前記第２の周波数帯域のデータとを復調する、通信システム。
【請求項２】
前記移動局は、前記第２の周波数帯域のデータの復調を再開すると、前記復調されたデータに、前記第２のスケジューリング方式を無効とするための第２のコマンドが含まれているか否かを判断する、請求項１に記載の通信システム。
【請求項３】
前記移動局に対して前記第２のスケジューリング方式を無効とするための第２のコマンドを送信するタイミングと、前記移動局に対して前記第１のスケジューリング方式を実行するための第３のコマンドを送信するタイミングとが、前記移動局と前記基地局との間で予め取り決められている、請求項１に記載の通信システム。
【請求項４】
前記通信システムは、前記第２のスケジューリング方式で前記基地局と前記移動局とが通信するときには、前記第１のスケジューリング方式を利用しない、請求項１に記載の通信システム。
【請求項５】
前記基地局は、前記第２のスケジューリング方式で前記移動局と通信するときには、前記移動局に対して、前記移動局に送信する制御信号を前記第１の周波数帯域にスケジューリングして前記データとともに同一の前記サブフレームで送信する、請求項１に記載の通信システム。
【発明の詳細な説明】
【技術分野】
【０００１】
本発明は、移動局と基地局とを備える通信システムに関する。
【背景技術】
【０００２】
３ＧＰＰ  ＬＴＥ（3rd Generation Partnership Project Long Term Evolution）では、無線リソースをスケジューリング（周波数スケジューリング）するための方式として、ダイナミックスケジューリング（Dynamic scheduling）と、セミパーシステントスケジューリング（Semi-persistent  scheduling：ＳＰＳ）とが利用されている。
【０００３】
ダイナミックスケジューリングでは、基地局から送信されるＰＤＣＣＨ（Physical downlink Control Channel）によって、どの移動局にどの無線リソースを割り当てるかが、サブフレーム毎に決定される。ダイナミックスケジューリングでは、ユーザに対する無線リソースの割り当て方が頻繁に変わるため、無線リソースを柔軟に活用することができる。
【０００４】
一方、ＳＰＳは、音声パケット（VoIP）等のように、データ量は少ないが遅延が短く制限される通信に利用される。ＳＰＳでは、１回の無線リソースの割り当てが、１つのサブフレームだけでなく、以後の多数のサブフレームにも適用される。すなわち、ＳＰＳでは、ある一定の無線リソースを周期的に割り当てることで、無線リソースのシグナリングに要するオーバーヘッドを削減する。なお、上記の周期（送信周期ｎ）は、先行するＲＲＣ（Radio Resource Control）信号により定められる。
【０００５】
特許文献１では、セミパーシステントスケジューリングが適用される音声パケット通信において、無音状態での移動局の消費電力を低減するための通信システムが検討されている。
【先行技術文献】
【特許文献】
【０００６】
【特許文献１】国際公開第２０１０／０８９８２５号
【発明の概要】
【発明が解決しようとする課題】
【０００７】
移動局は、ＳＰＳ中においてもDynamic scheduling commandを検出するため、ＰＤＣＣＨ（Physical Downlink Control Channel）をモニタし続ける必要がある。移動局がDynamic scheduling commandを検出すると、当該移動局は、Dynamic scheduling commandを、ある特定のサブフレームにおけるＳＰＳよりも優先する。このような優先処理は、例えば、ユーザがＶｏＩＰ中にＷｅｂ閲覧を行なうために移動局がＷｅｂページのダウンロードを行なう等、準持続的に割り当てられた無線リソースを一時的に増加させる必要があるときに有効である。
【０００８】
それゆえ、ＳＰＳ等のように複数のサブフレームにわたってスケジューリングが決まっている場合であっても、移動局は、ＰＤＣＣＨをモニタするために、帯域全体を処理する必要がある。したがって、移動局における消費電力は大きくなる。
【０００９】
本願発明は、上記の問題点に鑑みなされたものであって、その目的は、ＳＰＳ等のようにスケジューリングが決定されている場合において、移動局における消費電力を低減することが可能な通信システムを提供することにある。
【課題を解決するための手段】
【００１０】
本発明のある局面に従うと、通信システムは、第１のスケジューリング方式と第２のスケジューリング方式とを利用して移動局と基地局とが通信する。第１のスケジューリング方式は、移動局に対する無線リソースの割り当てを基地局がサブフレーム毎に行なうものである。第２のスケジューリング方式は、移動局に対する無線リソースの割り当てが一定周期で連続する複数のサブフレームで同一となるように、割り当てを基地局が複数のサブフレームに対して一括して行なうものである。基地局は、第１のスケジューリング方式で移動局と通信を行なっている際に、移動局に対して第２のスケジューリング方式を有効とするための第１のコマンドを送信する。移動局は、第１のコマンドを受信すると、第２のスケジューリング方式で移動局と通信を開始するとともに、一括して割り当てられた無線リソースが含まれる第１の周波数帯域のデータを復調し、第１の周波数帯域以外の第２の周波数帯域のデータを復調しない。
【発明の効果】
【００１１】
上記の発明によれば、ＳＰＳ等のようにスケジューリングが決定されている場合において、移動局における消費電力を低減することが可能となる。
【図面の簡単な説明】
【００１２】
【図１】通信システム１を構成するＵＥ１０の処理の概要を説明するための図である。
【図２】ＵＥ１０の構成を説明するためのブロック図である。
【図３】ＵＥ１０における処理の流れを説明するためのフローチャートである。
【図４】通信システム１におけるＵＥ１０とＢＳ２０との間で行われる通信を説明するためのシーケンスチャートである。
【図５】ＵＥ１０Ａにおける処理の流れを説明するためのフローチャートである。
【図６】通信システム１ＡにおけるＵＥ１０ＡとＢＳ２０Ａとの間で行われる通信を説明するためのシーケンスチャートである。
【図７】通信システム１ＡにおけるＵＥ１０ＡとＢＳ２０Ａとの間で行われる他の通信（変形例での通信）を説明するためのシーケンスチャートである。
【図８】ＵＥ１０Ｂにおける処理の流れを説明するためのフローチャートである。
【図９】通信システム１ＢにおけるＵＥ１０ＢとＢＳ２０Ｂとの間で行われる通信を説明するためのシーケンスチャートである。
【図１０】通信システム１ＢにおけるＵＥ１０ＢとＢＳ２０Ｂとの間で行われる他の通信を説明するためのシーケンスチャートである。
【図１１】通信システム１ＢにおけるＵＥ１０ＢとＢＳ２０Ｂとの間で行われるさらに他の通信を説明するためのシーケンスチャートである。
【図１２】ＵＥ１０Ｃにおける処理の流れを説明するためのフローチャートである。
【図１３】通信システム１ＣにおけるＵＥ１０ＣとＢＳ２０Ｃとの間で行われる通信を説明するためのシーケンスチャートである。
【図１４】ＳＰＳを利用して通信している際のサブフレームを表した図である。
【図１５】ＵＥ１０Ｄにおける処理の流れを説明するためのフローチャートである。
【図１６】通信システム１ＤにおけるＵＥ１０ＤとＢＳ２０Ｄとの間で行われる通信を説明するためのシーケンスチャートである。
【図１７】最小の帯域幅に復調周波数帯域を補正する処理を説明するための図である。
【図１８】実施の形態１から５に係るＵＥ１０，１０Ａ，１０Ｂ，１０Ｃの他の構成を説明するためのブロック図である。
【発明を実施するための形態】
【００１３】
以下、図面を参照しつつ、本発明の各実施の形態に係る通信システムについて説明する。また、以下の説明では、同一の部材には同一の参照符号を付してある。それらの名称および機能も同じである。したがって、それらについての詳細な説明は繰り返さない。
【００１４】
また、以下では、移動局に対する無線リソースの割り当てを基地局がサブフレーム毎に行なうスケジューリング方式として、ダイナミックスケジューリングを例に挙げて説明する。また、移動局に対する無線リソースの割り当てが一定周期で連続する複数のサブフレームで同一となるように、割り当てを基地局が当該複数のサブフレームに対して一括して行なうスケジューリング方式として、ＳＰＳを例に挙げて説明する。
【００１５】
なお、以下では、移動局をＵＥ（User Equipment）と称し、基地局をＢＳ（Base Station）と称する。また、以下では、複数のＵＥのうち、１つのＵＥに着目して説明する。ただし、当該１つのＵＥで行われる処理と同様の処理が当該ＵＥ以外のＵＥにおいても、実行される。
【００１６】
［実施の形態１］
図１は、本実施の形態における通信システム（以下、「通信システム１」と称する）を構成するＵＥの処理の概要を説明するための図である。詳しくは、図１は、ＳＰＳを利用して通信している際のサブフレームを表した図である。
【００１７】
図１を参照して、ＢＳ（以下、「ＢＳ２０」と称する）は、複数のサブフレームＳα（１），ＳＸ（１＿１），ＳＸ（１＿２），…を送信する。各サブフレームの周波数帯域は、下限が周波数ｆ１であり、上限が周波数ｆ２であるとする。また、当該周波数帯域の帯域幅は、Ｗ１（Ｗ１＝ｆ２−ｆ１）であるとする。
【００１８】
サブフレームＳα（１），Ｓα（２），Ｓα（３），…，Ｓα（ｋ），…には、少なくとも、複数のＵＥ１０のうちの１つのＵＥ１０（以下、「ＵＥ１０（α）」と称する）宛の制御信号およびデータが含まれている。サブフレームＳα（１），Ｓα（２），Ｓα（３），…，Ｓα（ｋ），…は、一定の周期Ｔｃ毎にＢＳ２０から送信される。なお、ｋは、自然数である。また、以下では、複数のＵＥ１０のうちの任意のＵＥを示すときは、単に、「ＵＥ１０」と記載する。
【００１９】
他のサブフレームＳＸ（１＿１），ＳＸ（１＿２），…，ＳＸ（１＿ｎ），ＳＸ（２＿１），ＳＸ（２＿２），…，ＳＸ（２＿ｎ），ＳＸ（３＿１），…には、ＵＥ１０（α）以外のＵＥ（たとえば、ＵＥ（β），ＵＥ（γ），…）宛の制御信号およびデータが含まれており、ＵＥ１０（α）宛の制御信号およびデータは含まれていない。なお、ｎは、自然数である。
【００２０】
サブフレームにおけるリソースを表す制御領域８００は、ＵＥ１０に対する制御信号がマッピングされる領域である。つまり、制御領域８００には、少なくともＰＤＣＣＨ等の下り制御チャンネルが割り当てられている。サブフレームＳα（１），Ｓα（２），Ｓα（３），…，Ｓα（ｋ），…における制御領域８００には、少なくともＵＥ１０（α）用の制御信号がマッピングされる。なお、サブフレームＳＸ（１＿１）等の他のサブフレームには、ＵＥ１０（α）用の制御信号はマッピングされない。
【００２１】
サブフレームにおけるリソースを表すデータ領域９００は、ＵＥ宛のデータがマッピングされる領域である。詳しくは、データ領域９００は、ＰＤＳＣＨ（Physical Downlink Shared Channel）が割り当てられる領域である。サブフレームＳα（１），Ｓα（２），Ｓα（３），…，Ｓα（ｋ），…におけるデータ領域９００には、少なくともＵＥ１０（α）用のデータがマッピングされる。なお、サブフレームＳＸ（１＿１）等の他のサブフレームには、ＵＥ１０（α）用のデータはマッピングされない。
【００２２】
ＳＰＳ通信では、周波数ｆ１１から周波数ｆ１２までの周波数帯域に、ＵＥ１０（α）用のデータＤ１，Ｄ２，Ｄ３，…，Ｄｋ，…がマッピングされる。なお、データＤ３，Ｄｋ以外のデータＤ１等は図示していない。また、ｆ１＜ｆ１１＜ｆ１２＜ｆ２である。さらに、以下では、ＵＥ１０（α）用のデータＤ１，Ｄ２，Ｄ３，…，Ｄｋ，…がマッピングされる周波数帯域の帯域幅は、Ｗ２（Ｗ２＝ｆ１２−ｆ１１）であるとする。
【００２３】
図１においては、帯域幅Ｗ１における中心の周波数をｆｃとして表している。つまり、ｆｃ＝（ｆ１＋ｆ２）／２となる。また、図１においては、帯域幅Ｗ２における中心の周波数をｆｃ’として表している。つまり、ｆｃ’＝（ｆ１１＋ｆ１２）／２となる。
【００２４】
ＳＰＳ通信が行われる場合には、通信システム１においては、ＵＥ１０（α）は、周波数ｆ１１から周波数ｆ１２の間の周波数帯（帯域幅Ｗ２の周波数帯域）にマッピングされた情報（データ等）を復調し、周波数ｆ１から周波数ｆ１１の間の周波数帯および周波数ｆ１２から周波数ｆ２の間の周波数帯にマッピングされた情報（データ、制御信号等）を復調しない。つまり、ＵＥ１０（α）は、ＵＥ１０（α）に対して割り当てられた周波数帯域のみに含まれる情報を復調し、それ以外の周波数帯域に含まれる情報を復調しない。
【００２５】
上記の構成によれば、ＵＥ１０（α）は、帯域幅Ｗ１よりも狭い帯域幅Ｗ２の周波数帯域に含まれる情報のみを復調すればよい。したがって、ＵＥ１０（α）は、帯域幅Ｗ１の周波数帯域に含まれる情報を復調する構成に比べて、消費電力を低減することが可能となる。
【００２６】
なお、以下では、上記のように、復調する帯域幅を通常よりも狭めた帯域幅の周波数帯域を「狭帯域」とも称する。また、狭める前の帯域幅の周波数帯域を「帯域全体」とも称する。つまり、図１の例では、周波数ｆ１１〜ｆ１２の周波数帯域が「狭帯域」に該当し、周波数ｆ１〜ｆ２の周波数帯域が「帯域全体」に該当する。さらに、復調する帯域幅を通常よりも狭めた際の復調処理（つまり、狭帯域のみの復調処理）を、「狭帯域復調処理」とも称する。
【００２７】
図２は、ＵＥ１０の構成を説明するためのブロック図である。図２を参照して、ＵＥ１０は、アンテナ１０１と、ＲＦ（Radio Frequency）  Ｆｉｌｔｅｒ１０２と、乗算器１０３と、Ｂ．Ｂ.（Base Band）回路１０４と、判定部１０５と、補正部１０６と、Ａ／Ｄ（analog/Digital）変換器１０７と、ＦＦＴ（Fast Fourier Transform）処理部１０８と、ＣＰＵ（Central Processing Unit）１０９と、ＲＯＭ（Read Only Memory）１１０と、ＲＡＭ（Random Access Memory）１１１と、フラッシュメモリ１１２と、タッチスクリーン１１３と、電源１１４とを備える。
【００２８】
判定部１０５は、中心周波数判定部１５１と、復調処理帯域幅判定部１５２とを備える。補正部１０６は、中心周波数補正部１６１と、復調処理帯域幅補正部１６２とを備える。タッチスクリーン１１３は、タッチパネル１３１と、ディスプレイ１３２とを備える。
【００２９】
ＢＳ２０から送信された無線信号は、ＵＥ１０のアンテナ１０１で受信される。受信された信号は、ＲＦ  Ｆｉｌｔｅｒ１０２によって、ベースバンド信号に復調される。フィルタ処理がなされた信号は、乗算器１０３およびＢ．Ｂ．回路１０４を介して、判定部１０５に送られる。なお、ＵＥ１０からデータを基地局２０に送信する際には、乗算器１０３に搬送波が入力される。
【００３０】
中心周波数判定部１５１は、スケジューリングされたデータが割り当てられた周波数帯における中心周波数（図１の場合は周波数ｆｃ’）を判定する。中心周波数判定部１５１は、判定された中心周波数を表す情報を、中心周波数補正部１６１に送る。
【００３１】
中心周波数補正部１６１は、復調する周波数帯域の中心周波数が中心周波数判定部１５１で判定された周波数となるように、中心周波数を補正する。図１のＵＥ１０（α）の例では、中心周波数補正部１６１は、中心周波数を、周波数ｆｃから周波数ｆｃ’に補正する。
【００３２】
復調処理帯域幅判定部１５２は、復調処理を行なう帯域幅（図１の場合は、帯域幅Ｗ２）を判定する。復調処理帯域幅判定部１５２は、判定された帯域幅を表す情報を、復調処理帯域幅補正部１６２に送る。
【００３３】
復調処理帯域幅補正部１６２は、復調処理帯域幅を、復調処理帯域幅判定部１５２で判定された帯域幅となるように、復調処理帯域幅を補正する。図１のＵＥ１０（α）の例では、復調処理帯域幅補正部１６２は、復調処理帯域幅を、帯域幅Ｗ１から帯域幅Ｗ２に補正する。
【００３４】
ＵＥ１０では、補正部１０６によって補正された中心周波数および復調処理帯域幅に基づいて、復調処理が行われる。すなわち、補正部１０６は、補正後の復調処理帯域幅の中心周波数が補正後の中心周波数となるように、復調する周波数帯域を決定する。図１のＵＥ１０（α）の例では、補正部１０６は、補正後の復調処理帯域幅（つまり、帯域幅Ｗ２）の中心周波数が補正後の中心周波数ｆｃ’となるように、復調する周波数帯域ｆ１１〜ｆ１２を決定する。
【００３５】
補正部１０６は、決定された周波数帯域に含まれる情報をＡ／Ｄ変換器１０７に送る。Ａ／Ｄ変換器１０７は、受け付けた情報（アナログ信号）をデジタル信号に変換し、ＦＦＴ処理部１０８に送る。ＦＦＴ処理部１０８は、当該デジタル信号に対して高速フーリエ変換を行ない、変換後の情報をＣＰＵ１０９に送る。
【００３６】
ＣＰＵ１０９は、ＦＦＴ処理部１０８から受信した情報に基づいて、各種の処理を実行する。たとえば、ＣＰＵ１０９は、ＶｏＩＰによる音声をスピーカ（図示せず）から出力させる。
【００３７】
ＲＯＭ１１０は、データを不揮発的に格納する。ＲＡＭ１１１は、データを揮発的に格納する。フラッシュメモリ１１２には、オペレーティングシステム、アプリケーション、データ等が格納されている。タッチパネル１３１は、ユーザからの入力を受け付ける。ディスプレイ１３２は、ＣＰＵ１０９の指示に基づき各種の情報を表示する。電源１１４は、ＵＥ１０の各部に電力を供給する。
【００３８】
なお、後述する実施の形態２〜５の通信システムにおけるＵＥの構成は、図２に示したＵＥの構成と同じである。
【００３９】
図３は、ＵＥ１０における処理の流れを説明するためのフローチャートである。図３を参照して、ステップＳ２において、ＵＥ１０は、ＢＳ２０からrrcConnectiongReconfigurationを受信する。ステップＳ４において、ＵＥ１０は、受信したrrcConnectiongReconfiguration内に、SPS configurationが含まれているか否かを判断する。
【００４０】
SPS configurationが含まれていると判断された場合（ステップＳ４においてＹＥＳ）、ＵＥ１０は、ステップＳ６において、SPS configurationに基づいて、ＳＰＳで通信する際に、割り当てられた帯域のみで復調処理するか否かを判断する。SPS configurationが含まれていないと判断された場合（ステップＳ４においてＮＯ）、ＵＥ１０は、ステップＳ３０において、Dynamic schedulingで通信を行なう。
【００４１】
割り当てられた帯域のみで復調処理しないと判断された場合（ステップＳ６においてＮＯ）、ＵＥ１０は、ステップＳ２４において、Dynamic schedulingで通信を開始する。ステップＳ２６において、ＵＥ１０は、受信したサブフレームの制御領域８００（詳しくは、ＰＤＣＣＨ）に、SPS activation commandが有るか否かを判断する。SPS activation commandが有ると判断された場合（ステップＳ２６においてＹＥＳ）、ＵＥ１０は、ステップＳ２８において、Dynamic schedulingによる通信を止めて、ＳＰＳで通信を開始する。SPS activation commandが無いと判断された場合（ステップＳ２６においてＮＯ）、ＵＥ１０は、処理をステップＳ２４に戻す。
【００４２】
割り当てられた帯域のみで復調処理すると判断された場合（ステップＳ６においてＹＥＳ）、ＵＥ１０は、ステップＳ８において、Dynamic schedulingで通信を開始する。ステップＳ１０において、ＵＥ１０は、受信したＰＤＣＣＨに、SPS activation commandが有るか否かを判断する。SPS activation commandが有ると判断された場合（ステップＳ１０においてＹＥＳ）、ＵＥ１０は、ステップＳ１２において、Dynamic schedulingによる通信を止めて、ＳＰＳで通信を開始する。SPS activation commandが無いと判断された場合（ステップＳ１０においてＮＯ）、ＵＥ１０は、処理をステップＳ８に戻す。
【００４３】
ステップＳ１４において、ＵＥ１０は、自端末に割り当てられた周波数帯域を検出する。ステップＳ１６において、ＵＥ１０は、割り当てられた周波数帯域の中心周波数を判定する。図１のＵＥ１０（α）の例では、ＵＥ１０（α）は、周波数ｆｃ’が中心周波数であると判定する。
【００４４】
ステップＳ１８において、ＵＥ１０は、自端末に割り当てられた帯域の帯域幅を判定する。図１のＵＥ１０（α）の例では、ＵＥ１０（α）は、割り当てられた帯域幅がＷ２であると判定する。ステップＳ２０において、ＵＥ１０は、復調処理の中心周波数および復調処理の帯域幅を補正する。図１のＵＥ１０（α）の例では、ＵＥ１０（α）は、復調処理の中心周波数をｆｃからｆｃ’に補正し、復調処理の帯域幅をＷ１からＷ２に補正する。ステップＳ２２において、ＵＥ１０は、補正後の中心周波数および補正後の帯域幅で、ＢＳ２０とのＳＰＳ通信を開始する。
【００４５】
図４は、通信システム１におけるＵＥ１０とＢＳ２０との間で行われる通信を説明するためのシーケンスチャートである。図４を参照して、シーケンスＳＱ２において、ＢＳ２０は、ＵＥ１０に対して、SPS configurationが含まれているrrcConnectiongReconfigurationを送信する。シーケンスＳＱ４において、ＵＥ１０は、受信したSPS configurationに基づき、ＳＰＳの設定を行なう。ＵＥ１０は、ＳＰＳの設定が終了すると、シーケンスＳＱ６において、ＳＰＳの設定が完了したことを表す、rrcConnectiongReconfiguration completeをＢＳ２０に送信する。
【００４６】
シーケンスＳＱ８において、ＵＥ１０は、SPS configurationが割り当てられた帯域のみで復調処理することを規定している場合、ＳＰＳで通信する際に、割り当てられた帯域のみで復調処理することを設定する（図３のステップＳ６におけるＹＥＳの場合に対応）。
【００４７】
シーケンスＳＱ１０において、ＵＥ１０は、Dynamic schedulingで通信を開始する。シーケンスＳＱ１２において、ＢＳ２０は、SPS activation commandを含めてＰＤＣＣＨをＵＥ１０宛に送信することにより、ＵＥ１０においてＳＰＳを有効（アクティベート）にする。シーケンスＳＱ１４において、ＵＥ１０とＢＳ２０とは、ＳＰＳで通信を開始する。
【００４８】
シーケンスＳＱ１６において、ＵＥ１０は、自端末に割り当てられた周波数帯域を検出する。シーケンスＳＱ１８において、ＵＥ１０は、割り当てられた周波数帯域の中心周波数を判定する。シーケンスＳＱ２０において、ＵＥ１０は、自端末に割り当てられた帯域の帯域幅を判定する。シーケンスＳＱ２２において、ＵＥ１０は、復調処理の中心周波数および復調処理の帯域幅を補正する。シーケンスＳＱ２４において、ＵＥ１０は、補正後の中心周波数および補正後の帯域幅で、ＢＳ２０とのＳＰＳ通信を開始する。
【００４９】
以上のように、通信システム１は、Dynamic schedulingとＳＰＳとを利用してＵＥ１０とＢＳ２０とが通信する。Dynamic schedulingは、ＵＥ１０に対する無線リソースの割り当てをＢＳ２０がサブフレーム毎に行なうものである。ＳＰＳは、ＵＥ１０に対する無線リソースの割り当てが一定周期で連続する複数のサブフレームで同一となるように、当該割り当てをＢＳ２０が当該複数のサブフレームに対して一括して行なうものである。
【００５０】
当該通信システム１において、ＢＳ２０は、Dynamic schedulingでＵＥ１０と通信を行なっている際に、ＵＥ１０に対してＳＰＳを有効とするためのSPS activation command（第１のコマンド）を送信する。ＵＥ１０は、当該SPS activation command（第１のコマンド）を受信すると、ＳＰＳでＢＳ２０と通信を開始するとともに、一括して割り当てられた無線リソースが含まれる第１の周波数帯域（ｆ１１〜ｆ１２）のデータを復調し、第１の周波数帯域以外の第２の周波数帯域（ｆ１〜ｆ１１およびｆ１２〜ｆ２）のデータを復調しない。
【００５１】
したがって、通信システム１によれば、ＵＥ１０は、第１の周波数帯域に含まれる情報のみを復調すればよい。したがって、ＵＥ１０は、第１および第２の周波数帯域に含まれる情報を復調する構成に比べて、消費電力を低減することが可能となる。
【００５２】
［実施の形態２］
実施の形態１に係る通信システム１では、データ領域９００だけではなく制御領域８００においても復調する周波数帯域も狭まる。たとえば、図１においては、周波数ｆ１〜ｆ２の間における周波数ｆ１１〜ｆ１２以外の周波数帯域（すなわち、周波数ｆ１〜ｆ１１，ｆ１２〜ｆ２）の制御領域８００に制御信号がマッピングされていた場合、ＵＥ１０は、当該制御信号をマッピングすることはできない。
【００５３】
それゆえ、ＢＳ２０からＵＥ１０に対してSPS deactivation commandが送信されても、ＵＥ１０はSPS deactivation commandを検出できない状況が発生する。この場合、ＵＥ１０が実施の形態１で説明した帯域補正を行なった後にＳＰＳ通信を開始すると、通信システム１ではＳＰＳ通信を終了することができなくなる。
【００５４】
そこで、本実施の形態では、ＳＰＳで通信する際に、割り当てられた帯域のみで復調処理する期間をタイマで設定し、設定された期間が満了した後は、ＵＥ１０がSPS deactivation commandを検出できるようにする。これにより、通信システムにおいて、ＳＰＳ通信の終了を可能にする。
【００５５】
以下、上記のような処理を行なう通信システム（以下、「通信システム１Ａ」と称する）の処理の詳細について、説明する。また、実施の形態１におけるＵＥ１０と区別するために、本実施の形態におけるＵＥを「ＵＥ１０Ａ」と称する。同様に、本実施の形態におけるＢＳを「ＢＳ２０Ａ」と称する。
【００５６】
図５は、ＵＥ１０Ａにおける処理の流れを説明するためのフローチャートである。図５を参照して、ＵＥ１０Ａは、図３に示したＵＥ１０における各処理（ステップＳ２〜Ｓ３０）と、ステップＳ１０２，Ｓ１０４，Ｓ１０６，Ｓ１０８，Ｓ１１０，Ｓ１１２，Ｓ１１４の各処理とを実行する。このように、ＵＥ１０Ａは、ステップＳ１０２〜Ｓ１１４の各処理を実行する点において、これらの処理を実行しないＵＥ１０と異なる。以下、主として、異なる点を説明する。
【００５７】
ＵＥ１０Ａは、ステップＳ６とステップＳ８との間に、ステップＳ１０２の処理を行なう。また、ＵＥ１０Ａは、ステップＳ１２とステップＳ１４との間に、ステップＳ１０４の処理を行なう。ＵＥ１０Ａは、ステップＳ２２の後に、ステップＳ１０６〜Ｓ１１４の処理を行なう。そこで、以下では、これらのステップＳ１０２〜Ｓ１１４の処理について説明する。
【００５８】
ステップＳ１０２において、ＵＥ１０Ａは、割り当てられた帯域のみで復調処理を行なう時間を設定するためにタイマの設定を行なう。典型的には、ＵＥ１０Ａにおいては、設定する時間の情報を予め記憶している。あるいは、ＵＥ１０Ａは、当該時間の情報をＢＳ２０Ａから受信してもよい。
【００５９】
ステップＳ１０４において、ＵＥ１０Ａは、タイマを作動させる。補正後の中心周波数および帯域幅でＳＰＳ通信を開始した後（ステップＳ２２の後）、ステップＳ１０６において、ＵＥ１０Ａは、タイマが満了したか否かを判断する。すなわち、ＵＥ１０Ａは、ステップＳ１０４においてタイマを作動させてから予め定められた時間が経過したか否かを判断する。
【００６０】
タイマが満了されたと判断された場合（ステップＳ１０６においてＹＥＳ）、ＵＥ１０Ａは、ＰＤＣＣＨをモニタして（ステップＳ１０８）、受信したＰＤＣＣＨにSPS deactivation commandが存在するか否かを判断する（ステップＳ１１０）。タイマが満了していないと判断された場合（ステップＳ１０６においてＮＯ）、ＵＤ１０Ａは、処理をステップＳ１０６に戻す。
【００６１】
ＰＤＣＣＨにSPS deactivation commandが存在すると判断された場合（ステップＳ１１０においてＹＥＳ）、ＵＥ１０Ａは、ステップＳ１１２において、ＳＰＳ通信を停止し、Dynamic schedulingで通信を開始する。ＰＤＣＣＨにSPS deactivation commandが存在しないと判断された場合（ステップＳ１１０においてＮＯ）、ＵＥ１０Ａは、ステップＳ１１４において、ステップＳ１０２と同様に、割り当てられた帯域のみで復調処理を行なう時間を設定するためにタイマの設定を行なう。
【００６２】
上記の構成によれば、ＢＳ２０ＡからＵＥ１０Ａに対してSPS deactivation commandが送信された場合、ＵＥ１０ＡはSPS deactivation commandを検出できる。つまり、ＵＥ１０が実施の形態１で説明した帯域補正を行なった後にＳＰＳ通信を開始した後であっても、通信システム１ＡではＳＰＳ通信を終了することができるようになる。
【００６３】
図６は、通信システム１ＡにおけるＵＥ１０ＡとＢＳ２０Ａとの間で行われる通信を説明するためのシーケンスチャートである。図６を参照して、通信システム１Ａは、図４に示したＵＥ１０における各処理（シーケンスＳＱ２〜ＳＱ２４）と、シーケンスＳＱ１０２，ＳＱ１０４，ＳＱ１０６，ＳＱ１０８，ＳＱ１１０の各処理とを実行する。このように、通信システム１Ａは、シーケンスＳＱ１０２〜ＳＱ１１０の各処理を実行する点において、これらの処理を実行しない通信システム１とは異なる。以下、主として、異なる点を説明する。
【００６４】
通信システム１Ａは、シーケンスＳＱ８とシーケンスＳＱ１０との間に、シーケンスＳＱ１０２の処理を行なう。また、通信システム１Ａは、シーケンスＳＱ２４の後に、シーケンスＳＱ１０４〜ＳＱ１１０の処理を行なう。そこで、以下では、これらのシーケンスＳＱ１０２〜ＳＱ１１０の処理について説明する。
【００６５】
シーケンスＳＱ１０２において、ＵＥ１０Ａは、割り当てられた帯域のみで復調処理を行なう時間を設定するためにタイマの設定を行なう（図５のステップＳ１０２に対応）。ＵＥ１０Ａは、設定したタイマが満了したことを検出すると（シーケンスＳＱ１０４）、通常のＳＰＳ通信を開始する（シーケンスＳＱ１０６）。すなわち、ＵＥ１０Ａは、狭帯域復調処理を止めて、通常の復調処理を実行する。図１の例を用いて説明すると、ＵＥ１０Ａは、周波数ｆ１１〜ｆ１２に含まれる情報のみならず、周波数ｆ１〜ｆ２に含まれる情報を復調する処理を開始する。
【００６６】
シーケンスＳＱ１０８において、ＢＳ２０Ａは、SPS deactivation commandを含めてＰＤＣＣＨをＵＥ１０Ａ宛に送信することにより、ＵＥ１０ＡにおいてＳＰＳを無効（ディアクティベート）にする。これにより、ＵＥ１０ＡとＢＳ２０Ａとは、Dynamic schedulingで通信を開始する（シーケンスＳＱ１１０）。
【００６７】
以上のように、ＵＥ１０Ａは、ＳＰＳで通信を開始してから予め定められた時間が経過すると、第１の周波数帯域（ｆ１１〜ｆ１２）と第２の周波数帯域（ｆ１〜ｆ１１およびｆ１２〜ｆ２）とに含まれるデータを復調する。ＵＥ１０Ａは、当該復調されたデータに、ＳＰＳを無効とするためのSPS deactivation command（第２のコマンド）が含まれているか否かを判断する。
【００６８】
上記の構成によれば、予め定められた時間（設定された期間）が満了した後は、ＵＥ１０がSPS deactivation command（第２のコマンド）を検出できるようにする。これにより、通信システム１Ａでは、ＳＰＳ通信を終了させることが可能になる。
【００６９】
＜変形例＞
（第１の変形例）
図５において、ステップＳ１０６で肯定的な判断がされた場合（ステップＳ１０６においてＹＥＳ）、ＳＰＳによる通信を終了して、Dynamic schedulingによる通信を開始してもよい。
【００７０】
（第２の変形例）
ＵＥ１０Ａがタイマを設定した場合にＢＳ２０Ａに対して当該設定した時間を通知するとともに、ＳＰＳで通信する際に、割り当てられた帯域のみで復調処理している間は、ＢＳ２０ＡがＵＥ１０Ａに対してSPS deactivation commandおよびDynamic scheduling commandを送信しないように、通信システム１Ａを構成してもよい。なお、制御信号の一つであるDynamic scheduling commandは、SPS deactivation commandと同様、受信したサブフレームの制御領域８００（詳しくは、ＰＤＣＣＨ）にマッピングされる（図１参照）。以下、この構成を採った場合の通信システム１Ａにおける通信処理の詳細を説明する。
【００７１】
図７は、通信システム１ＡにおけるＵＥ１０ＡとＢＳ２０Ａとの間で行われる他の通信（変形例での通信）を説明するためのシーケンスチャートである。以下では、図７のシーケンスチャートに関し、図６のシーケンスチャートとの相違点について説明する。図７のシーケンスチャートは、シーケンスＳＱ１０２とシーケンスＳＱ１０との間に、シーケンスＳＱ２０２、ＳＱ２０４，ＳＱ２０６を備えている点において、図６のシーケンスチャートと相違する。図７におけるその他の処理は、図６の処理と同じであるため、ここでは、繰り返し説明しない。
【００７２】
シーケンスＳＱ２０２において、ＵＥ１０Ａは、タイマで設定した時間をＢＳ２０Ａに通知する。シーケンスＳＱ２０４において、ＢＳ２０Ａは、ＳＰＳで通信する際に、割り当てられた帯域のみで復調処理している間は、SPS deactivation commandおよびDynamic scheduling commandをＵＥ１０Ａに送信しないように設定する。当該設定が行われた後、ＢＳ２０Ａは、シーケンスＳＱ２０６において、上記通知に対する受信応答をＵＥ１０Ａに送信する。
【００７３】
なお、上記の図６および図７では、タイマにより復調処理する期間を設定したが、これに限定されるものではない。時間を設定する代わりに、サブフレーム数を設定してもよい。
【００７４】
［実施の形態３］
実施の形態２の通信システム１Ａでは、タイマによって設定された時間が経過する前にＢＳ２０ＡからＵＥ１０ＡにSPS deactivation commandが送信されても、ＵＥ１０Ａは、SPS deactivation commandを検出できない。それゆえ、ＢＳ２０Ａは、SPS deactivation commandの再送を繰り返すことになる。また、実施の形態１の通信システム１および実施の形態２の通信システム１Ａでは、帯域を補正して復調している間（狭帯域復調処理を行なっている間）に、ＢＳ２０，２０ＡからＵＥ１０，１０Ａへ送信されたDynamic scheduling commandを、ＵＥ１０，１０Ａは検出できない。
【００７５】
そこで、本実施の形態では、ＢＳとＵＥとの間でDynamic scheduling commandおよびSPS deactivation commandの送信タイミングを予め決めておく。さらに、ＵＥは、これらのcommandが送られてくるサブフレームについては帯域全体を復調する。これによって、ＵＥが、Dynamic scheduling commandおよびSPS deactivation commandを検出可能にする。具体的に説明すると、以下のとおりである。
【００７６】
ＳＰＳで通信する際においては、ｎサブフレームごとに自局宛のデータがＢＳから送信され、ｎ×ｍサブフレームごとに自局宛の制御信号がＢＳから送信される。なお、ｍは、自然数である。ＳＰＳで通信する際において、割り当てられた周波数帯域（狭帯域）のみでＵＥが復調処理する設定となっている場合、ＵＥは、以下の処理を行なう。すなわち、ＵＥは、自局宛の制御信号が含まれるｎ×ｍサブフレーム目については、制御信号を復調できるように、割り当てられた帯域のみではなく、帯域全体を復調する。たとえば、図１の例を用いて説明すると、ＵＥは、自局宛の制御信号が含まれるｎ×ｍサブフレーム目については、周波数ｆ１１〜ｆ１２に含まれる情報のみならず、周波数ｆ１〜ｆ２に含まれる情報を復調する処理を行なう。
【００７７】
以下、上記のような処理を行なう通信システム（以下、「通信システム１Ｂ」と称する）の処理の詳細について、説明する。また、実施の形態１，２におけるＵＥ１０，１０Ａと区別するために、本実施の形態におけるＵＥを「ＵＥ１０Ｂ」と称する。同様に、本実施の形態におけるＢＳを「ＢＳ２０Ｂ」と称する。
【００７８】
図８は、ＵＥ１０Ｂにおける処理の流れを説明するためのフローチャートである。図８を参照して、ＵＥ１０Ｂは、図３に示したＵＥ１０における各処理（ステップＳ２〜Ｓ２０，Ｓ２４〜Ｓ３０）と、ステップＳ２２Ａの処理と、ステップＳ３０２，Ｓ３０４，Ｓ３０６，Ｓ３０８，Ｓ３１０，Ｓ３１２の各処理とを実行する。ＵＥ１０Ｂは、ステップＳ２２の代わりにステップＳ２２Ａの処理を実行するとともに、ステップＳ３０２〜Ｓ３１２の各処理を実行する点において、これらの処理を実行しないＵＥ１０とは異なる。以下、主として、異なる点を説明する。
【００７９】
ＵＥ１０Ｂは、ステップＳ６とステップＳ８との間に、ステップＳ３０２，Ｓ３０４、Ｓ３０６の処理を行なう。また、ＵＥ１０Ｂは、ステップＳ２０の後に、ステップＳ２２の代わりにステップＳ２２Ａの処理を実行する。さらに、ＵＥ１０Ｂは、ステップＳ２２Ａの後に、ステップＳ３０８，Ｓ３１０，Ｓ３１２の処理を行なう。そこで、以下では、これらのステップＳ１０２〜Ｓ１１４の処理について説明する。
【００８０】
ステップＳ３０２において、ＵＥ１０Ｂは、制御信号の送信タイミングを表した送信タイミング通知を、ＢＳ２０Ｂから受信する。ステップＳ３０４において、ＵＥ１０Ｂは、ＢＳ２０ＢからＵＥ１０Ｂへ制御信号が送信されるタイミングでは周波数帯域全体を復調するように、自端末を設定する。ステップＳ３０６において、ＵＥ１０Ｂは、制御信号の送信タイミング通知を受信したことを表す応答（送信タイミング通知への応答）を、ＢＳ２０Ｂに送信する。
【００８１】
ステップＳ２２Ａにおいては、ＵＥ１０Ｂは、補正後の中心周波数および補正後の帯域幅で通信を開始する。この際、ＢＳ２０ＢからＵＥ１０Ｂへ制御信号が送信されるタイミングでは、一時的に帯域全体を復調する。たとえば、図１の例では、ＵＥ１０Ｂは、一時的に、周波数ｆ１〜ｆ２の周波数帯域に含まれる情報を復調する。
【００８２】
ステップＳ３０８において、ＵＥ１０Ｂは、帯域全体の復調によってDynamic scheduling commandを検出すると、スケジューリングされたデータを復調する。ステップＳ３１０において、受信したサブフレームに、SPS deactivation commandが有るか否かを判断する。
【００８３】
SPS deactivation commandが有ると判断された場合（ステップＳ３１０においてＹＥＳ）、ＵＥ１０Ｂは、ステップＳ３１２において、Dynamic schedulingで通信を開始する。SPS deactivation commandがないと判断された場合（ステップＳ３１０においてＮＯ）、ＵＥ１０Ｂは、処理をステップＳ３０８に進める。
【００８４】
図９は、通信システム１ＢにおけるＵＥ１０ＢとＢＳ２０Ｂとの間で行われる通信を説明するためのシーケンスチャートである。図９を参照して、通信システム１Ｂは、図４に示したＵＥ１０における各処理（シーケンスＳＱ２〜ＳＱ２４）と、シーケンスＳＱ３０２，ＳＱ３０４，ＳＱ３０６，ＳＱ３０８，ＳＱ３１０，ＳＱ３１２，ＳＱ３１４の各処理とを実行する。このように、通信システム１Ｂは、シーケンスＳＱ３０２〜ＳＱ３１４の各処理を実行する点において、これらの処理を実行しない通信システム１とは異なる。以下、主として、異なる点を説明する。
【００８５】
通信システム１Ｂは、シーケンスＳＱ８とシーケンスＳＱ１０との間に、シーケンスＳＱ３０２，ＳＱ３０４，ＳＱ３０６の処理を行なう。また、通信システム１Ｂは、シーケンスＳＱ２４の後に、シーケンスＳＱ３０８〜ＳＱ３１４の処理を行なう。そこで、以下では、これらのシーケンスＳＱ３０２〜ＳＱ３１４の処理について説明する。
【００８６】
シーケンスＳＱ３０２において、ＢＳ２０Ｂは，制御信号の送信タイミングをＵＥ１０Ｂに通知する（図８のステップＳ３０２に対応）。シーケンスＳＱ３０４において、ＵＥ１０Ｂは、ＢＳ２０ＢからＵＥ１０Ｂへ制御信号が送信されるタイミングでは帯域全体を復調するように設定する（図８のステップＳ３０４に対応）。シーケンスＳＱ３０６において、ＵＥ１０Ｂは、上記送信タイミング通知への応答通知をＢＳ２０Ｂに送信する（図８のステップＳ３０６に対応）。
【００８７】
シーケンスＳＱ３０８において、制御信号の送信タイミング毎に帯域全体を復調することにより、当該制御信号を復調する（図８のステップＳ２２Ａに対応）。シーケンスＳＱ３１０において、ＵＥ１０Ｂは、当該復調によってDynamic scheduling commandを検出すると、スケジューリングされたデータを復調する（図８のステップＳ３０８に対応）。
【００８８】
シーケンスＳＱ３１０について詳しく説明すると、以下のとおりである。ＵＥ２０Ｂは、制御信号の送信タイミングで制御信号を復調する。ＵＥ２０Ｂは、当該復調によってDynamic scheduling commandを検出した場合、Dynamic schedulingでスケジューリングされたデータの復調が終わるまで帯域全体で復調する処理を維持する。ＵＥ１０Ｂは、Dynamic schedulingでスケジューリングされたデータの復調が終了すると、補正した帯域幅での通信に切り替える。あるいは、ＵＥ１０Ｂは、次の制御信号の送信タイミングまで帯域全体での復調を維持し、当該次の制御信号の送信タイミングの際にDynamic scheduling commandおよびSPS deactivation commandがなかった場合に上記補正した帯域幅での通信に切り替える。
【００８９】
シーケンスＳＱ３１２において、ＢＳ２０Ｂは、SPS deactivation commandを含めてＰＤＣＣＨをＵＥ１０Ｂ宛に送信することにより、ＵＥ１０ＢにおいてＳＰＳを無効にする。これにより、ＵＥ１０ＢとＢＳ２０Ｂとは、Dynamic schedulingで通信を開始する（シーケンスＳＱ３１４）。
【００９０】
以上のように、通信システム１Ｂにおいては、ＵＥ１０Ｂに対してSPS deactivation command（第２のコマンド）を送信するタイミングと、ＵＥ１０Ｂに対してDynamic schedulingを実行するためのDynamic scheduling command（第３のコマンド）を送信するタイミングとが、ＵＥ１０ＢとＢＳ２０Ｂとの間で予め取り決められている。上記の構成によれば、ＵＥ１０Ｂは、Dynamic scheduling commandおよびSPS deactivation commandを検出可能となる。
【００９１】
＜変形例＞
（第１の変形例）
図８のステップＳ３０２においては、ＵＥ１０Ｂが制御信号送信タイミング通知をＢＳ２０Ｂに送信し、ＢＳ２０Ｂが当該通知の応答をＵＥ１０Ｂに送信したが、これに限定されるものではない。たとえば、ＵＥ１０ＢからＢＳ２０Ｂに対して送信タイミングを設定するための要求（以下、「設定要求」とも称する）を出してもよい。以下、設定要求をＵＥ１０ＢからＢＳ２０Ｂに送信する通信システム１Ｂにおける処理の流れについて、図１０に基づいて説明する。
【００９２】
図１０は、通信システム１ＢにおけるＵＥ１０ＢとＢＳ２０Ｂとの間で行われる他の通信を説明するためのシーケンスチャートである。図１０を参照して、通信システム１Ｂでは、図９で示したシーケンスＳＱ３０２，ＳＱ３０４，ＳＱ３０６の代わりに、シーケンスＳＱ４０２，ＳＱ４０４，ＳＱ４０６，ＳＱ４０８の処理が実行される。図１０におけるその他の処理は、図９を同じであるため、ここでは説明を繰り返さない。
【００９３】
シーケンスＳＱ４０２において、ＵＥ１０Ｂは、制御信号の送信タイミングの設定要求をＢＳ２０Ｂに送信する。シーケンスＳＱ４０４において、ＢＳ２０Ｂは、受信した設定要求に基づき、制御信号の送信タイミングを設定する。シーケンスＳＱ４０６において、ＢＳ２０Ｂは、送信タイミングを設定したことを表す応答（送信タイミング設定応答）をＵＥ１０に送信する。シーケンスＳＱ４０８において、ＵＥ１０Ｂは、ＢＳ２０ＢからＵＥ１０Ｂへ制御信号が送信されるタイミングでは帯域全体を復調するように設定する。
【００９４】
（第２の変形例）
また、ＵＥ１０ＢからＢＳ２０Ｂに対して送信タイミングを設定するための要求（設定要求）を送信する代わりに、以下のように通信システム１Ｂを構成してもよい。すなわち、オペレータ（電気通信事業者（通信キャリア））毎等、制御信号の送信タイミングを予め固定の値で決めておき、ＳＰＳ通信時に割り当てられた帯域のみで復調処理を行なうときの制御信号の送信タイミング通知が不要となるようにしてもよい。以下、このような構成を有する通信システム１Ｂにおける処理の流れについて、図１１に基づいて説明する。
【００９５】
図１１は、通信システム１ＢにおけるＵＥ１０ＢとＢＳ２０Ｂとの間で行われるさらに他の通信を説明するためのシーケンスチャートである。図１１を参照して、通信システム１Ｂでは、図９で示したシーケンスＳＱ３０２，ＳＱ３０６の処理を実行する必要がない。すなわち、通信システム１Ｂでは、シーケンスＳＱ８の処理の後にシーケンスＳＱ３０４の処理を実行し、当該処理の後にシーケンスＳＱ１０の処理を実行する。図１１におけるその他の処理は、図９を同じであるため、ここでは説明を繰り返さない。
【００９６】
［実施の形態４］
実施の形態１に係る通信システム１では、データ領域９００だけではなく制御領域８００においても復調する周波数帯域も狭まる。それゆえ、ＢＳ２０からＵＥ１０に対してDynamic scheduling commandが送信されても、ＵＥ１０はDynamic scheduling commandを検出できない状況が発生する。それゆえ、ＢＳ２０は、Dynamic scheduling commandの再送を繰り返すことになる。
【００９７】
そこで、本実施の形態では、rrcreconfigurationに、ＳＰＳ通信時のDyanmic schedulingのオンおよびオフを設定できるパラメータを追加する。そして、ＳＰＳ通信時にDyanmic schedulingをオフすることによって、Dynamic scheduling commandを検出できないことによるDynamic scheduling commandの再送を防ぐ。なお、ＳＰＳ通信時はDynamic schedulingを行わないように、オペレータが予め設定しておいてもよい。
【００９８】
以下、上記のような処理を行なう通信システム（以下、「通信システム１Ｃ」と称する）の処理の詳細について、説明する。また、実施の形態１におけるＵＥ１０と区別するために、本実施の形態におけるＵＥを「ＵＥ１０Ｃ」と称する。同様に、本実施の形態におけるＢＳを「ＢＳ２０Ｃ」と称する。
【００９９】
図１２は、ＵＥ１０Ｃにおける処理の流れを説明するためのフローチャートである。図１２を参照して、ＵＥ１０Ｃは、図３に示したＵＥ１０における各処理（ステップＳ２〜Ｓ３０）と、ステップＳ５０２の処理とを実行する。このように、ＵＥ１０Ｃは、ステップＳ５０２の処理を実行する点において、これらの処理を実行しないＵＥ１０とは異なる。
【０１００】
ＵＥ１０Ｃは、rrcreconfigurationでＳＰＳ通信時のDyanmic schedulingがオフ設定となっていた場合、ステップＳ６後、ステップＳ５０２において、ＳＰＳ通信時のDynamic schedulingのオン／オフの設定をオフにする。つまり、ＵＥ１０Ｃは、ＳＰＳ通信時においては、Dynamic schedulingを行なわない設定にする。これにより、Dynamic scheduling commandを検出できないことによるDynamic scheduling commandの再送を防ぐ。ＵＥ１０Ｃは、ステップＳ５０２の後、処理をステップＳ８に進める。
【０１０１】
図１３は、通信システム１ＣにおけるＵＥ１０ＣとＢＳ２０Ｃとの間で行われる通信を説明するためのシーケンスチャートである。図１３を参照して、通信システム１Ｃは、図４に示したＵＥ１０における各処理（シーケンスＳＱ２〜ＳＱ２４）と、シーケンスＳＱ５０２の処理とを実行する。このように、通信システム１Ｃは、シーケンスＳＱ５０２の処理を実行する点において、これらの処理を実行しない通信システム１とは異なる。以下、主として、異なる点を説明する。
【０１０２】
ＵＥ１０Ｃは、rrcreconfigurationでＳＰＳ通信時のDyanmic schedulingがオフ設定となっていた場合、シーケンスＳＱ４の後に、シーケンスＳＱ５０２において、ＳＰＳ通信時のDynamic schedulingのオン／オフの設定をオフにする。具体的には、ＵＥ１０Ｃは、ＳＰＳ通信時においては、Dynamic schedulingを行なわない設定にする。ＵＥ１０Ｃは、シーケンスＳＱ５０２の後、処理をシーケンスＳＱ６に進める。
【０１０３】
なお、シーケンスＳＱ５０２の処理に関しては、ＳＰＳ通信時はDynamic schedulingを行わないようにオペレータが予め設定していてもよい。
【０１０４】
以上のように、通信システム１Ｃは、ＳＰＳでＢＳ２０ＣとＵＥ１０Ｃとが通信するときには、Dynamic schedulingを利用しない。上記の構成によれば、Dynamic scheduling commandを検出できないことによるDynamic scheduling commandの再送を防ぐことが可能となる。
【０１０５】
［実施の形態５］
実施の形態１に係る通信システム１では、データ領域９００だけではなく制御領域８００においても復調する周波数帯域も狭まる。それゆえ、ＢＳ２０からＵＥ１０に対してSPS deactivation commandが送信されても、ＵＥ１０はSPS deactivation commandを検出できない状況が発生する。この場合、ＵＥ１０が実施の形態１で説明した帯域補正を行なった後にＳＰＳ通信を開始すると、通信システム１ではＳＰＳ通信を終了することができなくなる。
【０１０６】
実施の形態２の通信システム１Ａでは、タイマによって設定された時間が経過する前にＢＳ２０ＡからＵＥ１０ＡにSPS deactivation commandが送信されても、ＵＥ１０Ａは、SPS deactivation commandを検出できない。それゆえ、ＢＳ２０Ａは、SPS deactivation commandの再送を繰り返すことになる。
【０１０７】
また、実施の形態１の通信システム１および実施の形態２の通信システム１Ａでは、帯域を補正して復調している間（狭帯域復調処理を行なっている間）に、ＢＳ２０，２０ＡからＵＥ１０，１０Ａへ送信されたDynamic scheduling commandを、ＵＥ１０，１０Ａは検出できない。
【０１０８】
実施の形態３に係る通信システム１Ｂでは、ＵＥ１０Ｂは、ＢＳ２０ＢとSPS deactivation commandおよびDynamic scheduling commandを送信するタイミングを予め設定しておくことによって、これらの両commandを受信可能になっている。しかしながら、ＢＳ２０Ｂは、ｎ×mサブフレームごとにしか、これらのcommandをＵＥ１０Ｂに送ることができない。
【０１０９】
また、実施の形態３の通信システム１Ｂでは、ＵＥ１０ＢがDynamic scheduling commandを検出したら、割り当てられた帯域のみでの復調処理（狭帯域復調処理）を終了し、帯域全体での復調処理に切り替える必要がある。それゆえ、当該切り替えを行っている間は、ＵＥ１０Ｂは、Dynamic schedulingで送信されたデータは復調できないため、ＢＳ２０Ｂはデータの再送を繰り返す。
【０１１０】
そこで、本実施の形態では、ＳＰＳ通信時においてスケジューリングしたデータの周波数を判定し、かつＵＥに対する制御信号についても当該データと同じ周波数帯域内にスケジューリングするように、ＢＳを構成する。以下、当該構成について説明する。なお、上記のような処理を行なう通信システム（以下、「通信システム１Ｄ」と称する）について説明する。また、実施の形態１等におけるＵＥと区別するために、本実施の形態におけるＵＥを「ＵＥ１０Ｄ」と称する。同様に、本実施の形態におけるＢＳを「ＢＳ２０Ｄ」と称する。
【０１１１】
図１４は、ＳＰＳを利用して通信している際のサブフレームを表した図である。図１４を参照して、ＢＳ２０Ｄは、ＵＥ１０Ｄへの制御信号が割り当てられる周波数帯域幅をデータ（Ｄ３，Ｄｋ等）が割り当てられる周波数帯域幅と合わせる。つまり、ＢＳ２０Ｄは、制御信号を、周波数ｆ１１〜ｆ１２の間の領域Ｒ３，Ｒｋにスケジューリングする。なお、ＵＥ１０Ｄは、ＵＥ１０と同様に、ＳＰＳ通信時は狭帯域復調処理を行なう。このように制御信号を配置することにより、ＵＥ１０Ｄは、制御信号とデータとを復調できるようになる。
【０１１２】
図１５は、ＵＥ１０Ｄにおける処理の流れを説明するためのフローチャートである。図１５を参照して、ＵＥ１０Ｄは、図３に示したＵＥ１０における各処理（ステップＳ２〜Ｓ３０）と、ステップＳ６０２，Ｓ６０４，Ｓ６０６の各処理とを実行する。このように、ＵＥ１０Ｄは、ステップＳ６０２〜Ｓ６０６の各処理を実行する点において、これらの処理を実行しないＵＥ１０とは異なる。
【０１１３】
ＵＥ１０Ｄは、ステップＳ２２後、ステップＳ６０２，Ｓ６０４，Ｓ６０６の各処理を実行する。ステップＳ６０２において、ＵＥ１０Ｄは、Dynamic scheduling commandを検出すると、一時的に帯域全体を復調することにより、スケジューリングされたデータを復調する。ステップＳ６０４において、ＵＥ１０Ｄは、SPS deactivation commandがあるか否かを判断する。SPS deactivation commandがあると判断された場合（ステップＳ６０４においてＹＥＳ）、ＵＥ１０Ｄは、ステップＳ６０６において、Dynamic schedulingで通信を開始する。SPS deactivation commandがないと判断された場合（ステップＳ６０４においてＮＯ）、ＵＥ１０Ｄは、処理をステップＳ６０２に戻す。
【０１１４】
図１６は、通信システム１ＤにおけるＵＥ１０ＤとＢＳ２０Ｄとの間で行われる通信を説明するためのシーケンスチャートである。図１６を参照して、通信システム１Ｄは、図４に示したＵＥ１０における各処理（シーケンスＳＱ２〜ＳＱ６、ＳＱ１０〜ＳＱ２４）と、シーケンスＳＱ８Ａ，ＳＱ６０２，ＳＱ６０４，ＳＱ６０６，ＳＱ６０８の各処理とを実行する。通信システム１Ｄは、シーケンスＳＱ８の代わりにシーケンスＳＱ８Ａの処理を実行するとともに、シーケンスＳＱ６０２〜ＳＱ６０８の各処理を実行する点において、これらの処理を実行しない通信システム１とは異なる。以下、主として、異なる点を説明する。
【０１１５】
通信システム１Ｄは、シーケンスＳＱ６とシーケンスＳＱ８との間に、シーケンスＳＱ８Ａの処理を行なう。また、通信システム１Ｄは、シーケンスＳＱ１４とシーケンスＳＱ１６との間に、シーケンスＳＱ６０２の処理を行なう。さらに、通信システム１Ｄは、シーケンスＳＱ２４の後に、シーケンスＳＱ６０４〜ＳＱ６０８の処理を行なう。そこで、以下では、これらのシーケンスＳＱ６０２〜ＳＱ６０８の処理について説明する。
【０１１６】
シーケンスＳＱ８Ａにおいて、ＵＥ１０Ｄは、SPS configurationが割り当てられた帯域のみで復調処理することを規定している場合、ＳＰＳで通信する際に、データおよび制御信号が割り当てられた帯域のみで復調処理することを設定する。
【０１１７】
シーケンスＳＱ１４においてＳＰＳ通信が開始されると、ＢＳ２０Ｄは、シーケンスＳＱ６０２において、データおよび制御信号を複数のサブフレームにわたってスケジューリングを行なう。
【０１１８】
シーケンスＳＱ２４の処理の後、ＵＥ１０Ｄは、シーケンスＳＱ６０４において、Dynamic scheduling commandを検出すると、一時的に帯域全体を復調することによってスケジューリングされたデータを復調する。シーケンスＳＱ６０６において、ＢＳ２０Ｄは、SPS deactivation commandを含めてＰＤＣＣＨをＵＥ１０Ｄ宛に送信することにより、ＵＥ１０ＤにおいてＳＰＳを無効にする。これにより、ＵＥ１０ＤとＢＳ２０Ｄとは、Dynamic schedulingで通信を開始する（シーケンスＳＱ６０８）。
【０１１９】
以上のように、ＢＳ２０Ｄは、ＳＰＳでＵＥ１０Ｄと通信するときには、ＵＥ１０Ｄに対して、ＵＥ１０Ｄに送信する制御信号を第１の周波数帯域（ｆ１１〜ｆ１２）にスケジューリングしてデータとともに同一のサブフレームで送信する。上記の構成によれば、ＵＥ１０Ｂは、Dynamic schedulingで送信されたデータを復調できるため、ＢＳ２０Ｂがデータの再送を繰り返すことを防止できる。
【０１２０】
＜変形例＞
（第１の変形例）
ＳＰＳ通信時はＵＥ１０Ｄに対する制御信号についても複数サブフレーム間にわたってスケジューリングし、制御信号がスケジューリングされた周波数帯域内にデータをスケジューリングするように、ＢＳ２０Ｄを構成してもよい。つまり、ＢＳ２０Ｄは、制御信号を割り当てる周波数帯域に収まるようにデータをスケジューリングしてもよい。
【０１２１】
（第２の変形例）
ＵＥ１０Ｄは、データがスケジューリングされた周波数帯域と、制御信号がスケジューリングされた周波数帯域とを比較し、一方の周波数帯域が他方の周波数待機を含む場合には、当該一方の周波数帯域を補正後の周波数帯域（狭帯域）として復調処理を行なってもよい。
【０１２２】
（第３の変形例）
ＳＰＳ通信時はＵＥ１０Ｄに対する制御信号についても複数サブフレーム間にわたってスケジューリングし、制御信号とデータとの両方が復調できる最小の帯域幅に復調周波数帯域を補正してもよい。
【０１２３】
図１７は、最小の帯域幅に復調周波数帯域を補正する処理を説明するための図である。図１７を参照して、ＵＥ１０Ｄは、制御信号（Ｃ３，Ｃｋ等）がスケジューリングされた周波数帯域を考慮して、制御信号とデータとの両方が復調できる最小の帯域幅に復調周波数帯域を補正する。具体的には、ＵＥ１０Ｄは、周波数ｆ１から周波数ｆ３（＞ｆ２）までの間の周波数帯域を復調処理する帯域に補正する。なお、この場合における、補正後の中心周波数は、ｆｃ”（＞ｆｃ’）であり、帯域幅は、Ｗ３（＞Ｗ２）である。
【０１２４】
［実施の形態６］
実施の形態１〜５のＵＥにおいては、図２に示したように、判定部１０５による判定処理および補正部１０６による補正処理が行われた後に、Ａ／Ｄ変換器１０７によるＡ／Ｄ変換を行なう構成を例に挙げて説明した。しかしながら、これに限定されるものではない。
【０１２５】
図１８は、実施の形態１から５に係るＵＥ１０，１０Ａ，１０Ｂ，１０Ｃの他の構成を説明するためのブロック図である。図１８を参照して、Ａ／Ｄ変換器１０７によるＡ／Ｄ変換を行なった後に、判定部１０５の判定処理および補正部１０６による補正処理が行なわれるように、実施の形態１〜５のＵＥ１０，１０Ａ，１０Ｂ，１０Ｃを構成してもよい。
【０１２６】
各実施の形態に係るＵＥおよびＢＳにおける処理は、各装置（ＵＥ，ＢＳ）のハードウェアおよびＣＰＵにより実行されるソフトウェアによって実現される。このようなソフトウェアは、フラッシュメモリ等の記憶媒体に予め記憶されている場合がある。また、ソフトウェアは、図示しないメモリカードその他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＵＥあるいはＢＳのアンテナおよび無線通信ＩＦを介してダウンロードされた後、フラッシュメモリ等の記憶媒体に一旦格納される。そのソフトウェアは、ＵＥあるいはＢＳの各ＣＰＵによって記憶媒体から読み出され、さらに記憶媒体に実行可能なプログラムの形式で格納される。各ＣＰＵは、そのプログラムを実行する。図２等に示したＵＥを構成する各構成要素、およびＢＳの図示しない各構成要素（ＣＰＵ、メモリ等を含む）は、一般的なものである。したがって、本発明の本質的な部分は、記憶媒体に格納されたソフトウェア、あるいはネットワークを介してダウンロード可能なソフトウェアであるともいえる。
【０１２７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１２８】
１，１Ａ，１Ｂ，１Ｃ，１Ｄ  通信システム、１０３  乗算器、１０５  判定部、１０６  補正部、１０７  Ａ／Ｄ変換器、１０８  ＦＦＴ処理部、１０９  ＣＰＵ、１５１  中心周波数判定部、１５２  復調処理帯域幅判定部、１６１  中心周波数補正部、１６２  復調処理帯域幅補正部、８００  制御領域、９００  データ領域、Ｒ３，Ｒｋ  領域、Ｄ３，Ｄｋ  データ、Ｓα，ＳＸ  サブフレーム。
【図１】
0006399838.tif 000002
【図２】
0006399838.tif 000003
【図３】
0006399838.tif 000004
【図４】
0006399838.tif 000005
【図５】
0006399838.tif 000006
【図６】
0006399838.tif 000007
【図７】
0006399838.tif 000008
【図８】
0006399838.tif 000009
【図９】
0006399838.tif 000010
【図１０】
0006399838.tif 000011
【図１１】
0006399838.tif 000012
【図１２】
0006399838.tif 000013
【図１３】
0006399838.tif 000014
【図１４】
0006399838.tif 000015
【図１５】
0006399838.tif 000016
【図１６】
0006399838.tif 000017
【図１７】
0006399838.tif 000018
【図１８】
0006399838.tif 000019